【事件の表示】
　特願２００７−５５７４０９「衛生設備用の構成ユニット」拒絶査定不服審判事件〔平成１８年　９月　８日国際公開、ＷＯ２００６／０９２２７６、平成２０年　８月１４日国内公表、特表２００８−５３１８８４〕について、次のとおり審決する。
【結　論】
　本件審判の請求は、成り立たない。
【理　由】
１　手続の経緯　
　本願は，２００６年２月２８日（パリ条約による優先権主張外国庁受理２００５年３月４日，独国）を国際出願日とする出願であって，平成２３年３月２３日付けで拒絶査定がされ，これに対し，同年８月１日に拒絶査定に対する審判請求がなされたものである。
　
２　本願発明　
　本願の請求項１〜９に係る発明は，平成２２年１１月４日付け手続補正書により補正された特許請求の範囲の請求項１〜９に記載された事項により特定されるとおりのものと認められ，そのうち，請求項１に係る発明は，以下のとおりのものである。
「【請求項１】衛生設備用の構成ユニットであって，該構成ユニットは挿入カートリッジ（２）として衛生設備用の出口栓（４）の流体案内路（３）内に挿入されるようになっていて，ケーシング（５）及び水流調整器を備えており，ケーシング（５）は外周に雄ねじ（１０）を有しており，該雄ねじは出口栓（４）の雌ねじ（１３）内にねじ込まれるようになっている形式のものにおいて，ケーシング（５）の長さは，該ケーシングに雄ねじ（１０）と該雄ねじの下流側に直接に隣接するリングシール（１２）とが配置できるように規定されており，前記ケーシングは前記雄ねじ（１０）の上流側に直接に続く縁部を有しており，上流側に水流分割部分（７）を配置してあり，該水流分割部分は前記ケーシング（５）に結合されるようになっており，水流分割部分（７）とケーシング（５）とは，流体流過方向で所定の長さにわたって互いに嵌め合わされており，水流分割部分（７）若しくはケーシング（５）の外周若しくは内周に環状段部（４０）を設けてあり，該環状段部はケーシング（５）若しくは水流分割部分（７）の端面領域（４１）に当接するようになっており，ケーシング（５）において，リングシール（２［１２の誤記と認められる］）及び該リングシールと隣接する雄ねじ（１０）の上流側にケーシング縁部（１７）を接続してあることを特徴とする，衛生設備用の構成ユニット。」（以下，請求項１に係る発明を「本願発明」という。）
　
３　引用刊行物
（１）刊行物１　
　原査定の拒絶の理由に引用され，本願出願前に頒布された刊行物である，国際公開第２００４／３８１１２号（以下「刊行物１」という。）には，図面とともに以下の記載がある（原文のウムラウト表記は対応する欧文表記の後に「#」を付記したものに改めて表記。邦訳は，刊行物１に対応する国内公表である特表２００６−５０４０１７号公報による翻訳文。） 
　
（１ａ）「In den Figuren 1 und 2 ist eine sanita#re Auslaufarmatur in zwei unterschiedlichen Ausfu#hrungen 1, 2 dargestellt. Die Auslaufarmaturen 1 , 2 weisen eine Flu#ssigkeitsfu#hrung 3 auf, die in einen Armaturen-Auslauf 4 mu#ndet. Im Bereich dieses Armaturen- Auslaufs 4 ist jeweils eine sanita#re Funktionseinheit 5 vorgesehen, die hier als Strahlregler dient. Die als Strahlregler dienende Funktionseinheit 5 ist als Einsetzpatrone ausgestaltet, in deren Inneren zumindest eine Strahlzerlegeeinrichtung und eine Strahlreguliereinrichtung vorgesehen sind.」(明細書第１２頁第１７行〜同頁第２５行)
　
（邦訳：図１及び図２には，２つの異なる実施例による衛生的な水栓（水栓金具）が示されている。これらの水栓１，２は，液体ガイド３を有しており，この液体ガイド３は水栓吐水口４内に開口している。この水栓吐水口４の領域内にそれぞれ１つの衛生的な機能ユニット５が設けられており，この機能ユニット５は噴流調整器として用いられる。噴流調整器として用いられる機能ユニット５は挿入カートリッジとして構成されており，この挿入カートリッジの内部に少なくとも１つの噴流分散装置と１つの噴流調整装置とが設けられている。）
　
（１ｂ）「In Figur 3 ist eine sanita#re Auslaufarmatur 2 im Bereich des Armaturen-Auslaufs 4 ihrer Flu#ssigkeitsfu#hrung 3 dargestellt. Im Bereich des Armaturen-Auslaufs 4 ist eine als Einsetzpatrone 5 ausgestattete sanita#re Funktionseinheit vorgesehen, die u#ber einen hu#lsenfo#rmigen Zwischenhalter 6 im Armaturen-Auslauf 4 gehalten ist. Die Einsetzpatrone 5 ist von der Zustro#mseite des Zwischenhalters 6 aus bis zu einem Halteabsatz 7 in den Zwischenhalter 6 einsetzbar. Der Zwischenhalter 6 weist an seinem abstro#mseitigen Umfangsrandbereich ein AuBengewinde 8 auf, wel- ches AuBengewinde 8 in ein komplementa#res Innengewinde im Armaturen-Auslauf 4 derart einschraubbar ist, daB der Zwischenhalter 6 und die darin befindliche Einsetzpatrone 5 mit ihrer gesamten La#ngserstreckung vollsta#ndig im Armaturen-Auslauf 4 angeordnet sind.
　
Auf der in Stro#mungsrichtung abgewandten Seite des AuBengewindes 8 ist am Zwischenhalter-Umfang eine in einer Ringnut 10 gehaltene Ringdichtung 11 vorgesehen, die in radialer Richtung zwischen dem Zwischenhalter 6 und dem Innenumfang der Auslauf- armatur 1 abdichtet. Die Einsetzpatrone 5 ist hier aus einem abstro#mseitigen Strahlregler 12 gebildet, der zustro#mseitig mit einem Durchflussmengenregler 13 sowie mit einem vorgeschalteten Vorsatzsieb 14 vorzugsweise lo#sbar verbunden ist. 
Auf der Zustro#mseite des Zwischenhalters 6 ist ein weiteres Vorsatzsieb 15 vorgesehen, das sich im Inneren der Flu#ssigkeitsfu#hrung 3 der Auslaufarmatur 2 u#ber einen vergleichsweise groBen Querschnitt erstrecken kann. Das Vorsatzsieb 15 ist mit dem Zwischenhalter 6 lo#sbar verbunden und weist dazu an seinem Umfangsrand einen umlaufenden Rastvorsprung 16 auf, der in eine Ringnut am zustro#mseitigen Innenumfang des Zwischenhalters 6 eingreift. Zwischen dem Vorsatzsieb 15 und einer zustro#mseiti- gen Stirnfla#che des Strahlreglers 12 der Einsetzpatrone 5 ist eine in axialer Richtung abdichtende Ringdichtung 17 vorgesehen, wobei der Strahlregler 12 mit einem Ringflansch 18 zwischen dem Halteabsatz 7 und dem Vorsatzsieb 15 gehalten ist. In den Zwischenhalter 6 sind Funktionseinheiten u#blicher Bauart einsetzbar, die beispielsweise als Strahlregler, Durchflussmen- genregler, Ru#ckfluBverhinderer und/oder Vorsatzsieb ausgestaltet sein k#nnen.」(明細書第１５頁第１１行〜第１６頁第１７行)
  
（邦訳：図３には，衛生的な水栓２の，液体ガイド３の吐水口４の領域が示されている。水栓２の吐水口４の領域に，挿入カートリッジ５として構成された衛生的な機能ユニットが設けられている。この機能ユニットは，スリーブ状の中間ホルダ６を介して水栓吐水口４内で保持されている。挿入カートリッジ５は，中間ホルダ６内に，流入側から保持段部７まで挿入可能である。中間ホルダ６は，その流出側の外周縁部領域で雄ねじ山８を有しており，この雄ねじ山８は，中間ホルダ６と，この中間ホルダ６内に存在する挿入カートリッジ５とが，その縦方向の延在長さ全体に亘って水栓吐水口４内に配置される程度に，水栓吐水口４に形成された相補的な（対応する）雌ねじ山に螺合可能である。
　雄ねじ山８の，流入側とは反対側において，中間ホルダ６の外周部に，環状溝１０内で保持されたリングシール１１が設けられており，このリングシール１１は半径方向において，中間ホルダ６と水栓１の内周面との間でシールされている。挿入カートリッジ５は，流出側の噴流調整器１２より形成されており，この噴流調整器１２は，流入側で貫流量調整器１３と，及びこの貫流量調整器１３の前方に接続された前置フィルタ１４と解除可能に結合されている。
　中間ホルダ６の流入側に別の前置フィルタ１５が設けられており，この前置フィルタ１５は，水栓２の液体ガイド３の内部で比較的大きい横断面に亘って延在している。前置フィルタ１５は，中間ホルダ１６（６の誤記と認められる。）に解除可能に結合されていて，そのために前置フィルタ１５は外周縁部で環状の係止突起１６を有しており，この係止突起１６は，中間ホルダ６の流入側の内周面に形成された環状溝に係合する。前置フィルタ１５と，挿入カートリッジ５の噴流調整器１２の流入側の端面との間に，軸方向でシールされたリングシール１７が設けられており，この場合，噴流調整器１２は，環状フランジ１８によって，保持段部７と前置フィルタ１５との間で保持されている。中間ホルダ６内に，一般的な構造の機能ユニットが挿入可能であって，この機能ユニットは，例えば噴流調整器，貫流量調整器，逆流防止部材及び／又は前置フィルタとして構成されていてよい。）
　
（１ｃ）「In Figur 4 ist eine sanita#re Auslaufarmatur 1 gezeigt, in deren Auslaufende eine als Einsetzpatrone 5 ausgestaltete sanita#re Funktionseinheit auch ohne einen Zwischenhalter einsetzbar ist. Die Einsetzpatrone 5 hat dazu ein mehrteiliges und hier zweiteilig ausgestaltetes Patronengeha#use 19, das an einem abstro#mseitigen Geha#useteil 20 ein AuBengewinde 21 tra#gt. Die Einsetzpatrone 5 ist mit diesem AuBengewinde 21 mit einem Innengewinde verschraubbar , das am Innenumfang der am Auslaufende der Auslaufarmatur 1 vorgesehenen Flu#ssigkeitsfu#hrung 3 angeordnet ist. Auch am Geha#useteil 20 ist auf der in Stro#mungsrichtung abgewandten Seite des AuBengewindes 21 eine Ring- dichtung 11 vorgesehen, die sich in einer Ringnut am AuBenumfang des Patronengeha#uses 19 befindet.」(明細書第１６頁第１９行〜同頁第３１行)
　
（邦訳：図４には，衛生的な水栓１が図示されており，この水栓１の流出側端部に，挿入カートリッジ５として構成された衛生的な機能ユニットが，中間ホルダなしで挿入可能である。このために，挿入カートリッジ５は，複数の部分，図示の実施例では２つの部分より構成されたカートリッジケーシング１９を有しており，このカートリッジケーシング１９は，流出側のケーシング部分２０で雄ねじ山２１を有している。挿入カートリッジ５は雌ねじ山によって，雄ねじ山２１に螺合せしめられる。この雄ねじ山２１は，水栓１の吐水口側端部に設けられた液体ガイド３の内周面に配置されている。ケーシング部分２０にも，雄ねじ山２１の，流入側とは反対側にリングシール１１が設けられており，このリングシール１１は，カートリッジケーシング１９の外周縁部に配置されている。）
　
（１ｄ）Ｆｉｇ．３には，中間ホルダ６の外周部において，雄ねじ山８の流入側とは反対側に，雄ねじ山８に直接隣接するように，環状溝１０内で保持されたリングシール１１が設けられており，
さらに，雄ねじ山８の流入側，かつ，内周側には保持段部７と係止突起１６を有する部分を有する中間ホルダと挿入カートリッジの嵌合について，環状フランジ１８を，保持段部７に当接しつつ，中間ホルダ６に流体流過方向で所定の長さにわたって嵌め合わすことで行っている様子が記載されている。
　
　ここで，記載（１ｂ）の「水栓２の吐水口４の領域に，挿入カートリッジ５として構成された衛生的な機能ユニットが設けられている。この機能ユニットは，スリーブ状の中間ホルダ６を介して水栓吐水口４内で保持されている。挿入カートリッジ５は，中間ホルダ６内に，流入側から保持段部７まで挿入可能である。」からみて，「挿入カートリッジ５として構成された衛生的な機能ユニット」が「中間ホルダ６」を介して保持されており，「挿入カートリッジ５」は，「中間ホルダ６」内に挿入可能であるといえることから，「中間ホルダ６」と「挿入カートリッジ５」はそれぞれ独立した部材であるものと認められる。
　
　以上を総合すると，上記記載（１ａ）〜（１ｄ）からみて，刊行物１には，以下の発明が記載されていると認められる（以下，「刊行物１記載の発明」という。）。
「水栓２は，液体ガイド３を有し，
この水栓吐水口４の領域内にそれぞれ１つの衛生的な機能ユニット５が設けられ，
この機能ユニット５は噴流調整器として用いられ，
噴流調整器として用いられる機能ユニット５は挿入カートリッジとして構成されており，
この挿入カートリッジの内部に少なくとも１つの噴流分散装置と１つの噴流調整装置とが設けられており，
衛生的な水栓２の，液体ガイド３の吐水口４の領域に，挿入カートリッジ５として構成された衛生的な機能ユニットが設けられ，
この機能ユニットは，スリーブ状の中間ホルダ６を介して水栓吐水口４内で保持されており，
挿入カートリッジ５は，中間ホルダ６内に，流入側から保持段部７まで挿入可能で，
中間ホルダ６は，その流出側の外周縁部領域で雄ねじ山８を有しており，
この雄ねじ山８は，中間ホルダ６と，この中間ホルダ６内に存在する挿入カートリッジ５とが，その縦方向の延在長さ全体に亘って水栓吐水口４内に配置される程度に，水栓吐水口４に形成された相補的な（対応する）雌ねじ山に螺合可能で，
中間ホルダ６の外周部において，雄ねじ山８の，流入側とは反対側に，雄ねじ山８に直接隣接するように，環状溝１０内で保持されたリングシール１１が設けられ，
雄ねじ山８の流入側，かつ，内周側には保持段部７と係止突起１６を有する部分を有しており，
中間ホルダ６の流入側に別の前置フィルタ１５が設けられており，この前置フィルタ１５は，水栓２の液体ガイド３の内部で比較的大きい横断面に亘って延在し，
前置フィルタ１５は，中間ホルダ６に解除可能に結合されていて，そのために前置フィルタ１５は外周縁部で環状の係止突起１６を有しており，この係止突起１６は，中間ホルダ６の流入側の内周面に形成された環状溝に係合し，
前置フィルタ１５と，挿入カートリッジ５の噴流調整器１２の流入側の端面との間に，軸方向でシールされたリングシール１７が設けられ，噴流調整器１２は，環状フランジ１８によって，保持段部７と前置フィルタ１５との間で保持されており，
環状フランジ１８は，保持段部７に当接しつつ，中間ホルダ６に流体流過方向で所定の長さにわたって嵌め合わされている，
機能ユニットと中間ホルダ」
　
（２）刊行物２　
　原査定の拒絶の理由に引用され，本願出願前に頒布された刊行物である，特表２００３−５３６０００号公報（以下「刊行物２」という。）には，図面とともに以下の記載がある。
（２ａ）「【請求項１４】噴流調整装置（４）の前方に噴流分解装置が接続されており，該噴流分解装置は少なくとも噴流調整器ケーシング（２）と解除可能に係止可能な孔付きプレート（３）を有している，請求項１から１３までのいずれか１項記載の噴流調整器。」
　
（２ｂ）「【００３３】  図１に示した噴流調整器１は，心地良く柔軟な(perlend-weichen)飛び散らない均一な噴射水流を生ぜしめるために，詳しく図示していない衛生設備の流出水栓に組み込まれる。
【００３４】噴流調整器１は，スリーブ状の噴流調整器ケーシング２を有しており，そのケーシング内部に流過方向Ｐｆ１に，孔付き円板３として構成された噴流分解装置と，流出側に整流装置５とが設けられている。噴流調整器１のケーシング内部から汚れ粒子を遠ざけて，噴流調整器１の自由な流れが保証される運転が得られるようにするために，噴流調整器１に補助フィルタ６が前置接続されている。
【００３５】  孔付きプレート３のプレート面は，貫流方向Ｐｆ１に対して横方向に配列されている。この孔付きプレート３は，互いに間隔を保って配置された多数の貫流孔７を有しており，これらの貫流孔７は，流入側でそれぞれ１つの丸味を付けられた漏斗状の流入開口８を有している（図３ｂ，図３ｃ）。
【００３６】噴流調整器１に流入する液体流は，孔付き円板３として構成された噴流分解装置内で，多数の個別噴流に分割される。次いで個別噴流は，後続の噴流調整装置４内で，心地良く柔軟で均一な全噴流に成形される。」
　
（２ｃ）「【００４２】  図１により明らかなように，組込部分は流入側のケーシング端面側から一緒に組込ストッパ１６まで噴流調整器ケーシング２内に解除可能に組込ことができる。このために，組込部分９，１０の支持リング１２の外周面は，噴流調整器ケーシング２の内径の内法寸法に合致されている。組込部分９，１０を噴流調整器ケーシング２内に挿入した後で，孔付きプレート３も噴流調整器ケーシング２内に組み込まれ，ここで解除可能に係止される。」
　
（２ｄ）図１には，噴流調整器ケーシング（２）の上流側に孔付きプレート（３）を配置しており，孔付きプレート（３）の外周と噴流調整器ケーシング（２）の内周にそれぞれ環状段部を設け，該環状段部で孔付きプレート（３）と噴流調整器ケーシング（２）とが当接するようになっている様子が記載されている。
　
（３）刊行物３　
　原査定の拒絶の理由に引用され，本願出願前に頒布された刊行物である，特表２００１−５０２０２５号公報（以下「刊行物３」という。）には，図面とともに以下の記載がある。
（３ａ）「 図１と図２に記載の噴流調整器１は，スリーブ状のケーシング２を有している。ケーシング２は，２つのスリーブ部分からなっている。噴流調整器１は，衛生排出装置に取り付けることが出来る，図１と図２に示されていない排出口に挿入可能である。
　噴流調整器１は，噴流分割プレート６を有する噴流調整装置５を有している。」（第１７頁第２２行〜同頁第２６行）
　
（３ｂ）「図１と図２との比較から明らかな様に，噴流分割装置５の噴流分割プレート６は，保持部３として役立つスリーブ部分のケーシング壁と一体的に結合されている。保持部３に一体的に成形された噴流分割プレート６は，従って，噴流調整器１の正確に成形された流入側の終端部を形成している。終端部には，水を節約する噴流調整器１の機能にとって適切な運転を支えかつ安定させるために，流れ方向でみて，前接続された貫流スクリーン１５および／またはここでは図示されていない貫流制限器および貫流流量制御器を有利には，解離可能に固定することが出来る。」（第１９頁第１０行〜同頁第１７行）
　
（３ｃ）図１，２において，噴流分割プレート６の環状段部に，ケーシング２の端面領域が当接している様子が記載されている。
　
４　本願発明と刊行物１記載の発明との対比　
　本願発明と刊行物１記載の発明とを対比すると，
刊行物１記載の発明の「水栓２」は，本願発明の「出口栓」に相当し，以下同様に，
「流体ガイド３」は，「流体案内路」に，
「中間ホルダ６」は，「ケーシング」に，
「雄ねじ山８」は，「雄ねじ」に，
「雌ねじ山」は，「雌ねじ」に，
中間ホルダの「保持段部７と係止突起１６を有する部分」は，「縁部」に，
「保持段部７」は，「環状段部」に，
それぞれ相当する。
　
　刊行物１記載の発明の「挿入カートリッジ」は，「内部に少なくとも１つの噴流分散装置と１つの噴流調整装置とが設けられて」いることからみて，噴流調整装置と噴流分散装置を備えているものと認められることから，本願発明の「水流調整器」及び「水流分割部分」に相当する。
　
　本願発明の「構成ユニット」は，「ケーシング（５）及び水流調整器を備え」たものであることからみて，刊行物１記載の発明の「中間ホルダ」と「挿入カートリッジ」を合わせたものは，本願発明の「構成ユニット」に相当する。
　また，刊行物１記載の発明の「水栓２」は，衛生設備の一部をなすものであることは明らかであることから，刊行物１に記載の発明の「中間ホルダ」と「挿入カートリッジ」を合わせたものは，衛生設備用のものであると認められる。
　
　刊行物１記載の発明の「中間ホルダ６」と「挿入カートリッジ」は，「衛生的な水栓２の，液体ガイド３の吐水口４の領域に，挿入カートリッジ５として構成された衛生的な機能ユニットが設けられ，」「中間ホルダ６は，その流出側の外周縁部領域で雄ねじ山８を有しており，この雄ねじ山８は，中間ホルダ６と，この中間ホルダ６内に存在する挿入カートリッジ５とが，その縦方向の延在長さ全体に亘って水栓吐水口４内に配置される程度に，水栓吐水口４に形成された相補的な（対応する）雌ねじ山に螺合可能で」あることからみて，「水栓２」の「流体ガイド３」内に挿入されているものと言える。
　
　刊行物１記載の発明の「リングシール」は，「雄ねじ山８の，流入側とは反対側において，中間ホルダ６の外周部において，雄ねじ山８に直接隣接するように，環状溝１０内で保持されたリングシール１１が設けられて」いることからみて，「雄ねじ山」の下流側に直接隣接するように配置されているものと認められる。そして，刊行物１記載の発明の「中間ホルダ」がその外周に「雄ねじ山」と「リングシール」を直接隣接するように設けていることからみて，「中間ホルダ」の長さは，「雄ねじ山」と「リングシール」を配置できる長さに規定されていることは明らかである。
　
　刊行物１記載の発明の「環状フランジ１８」は，「挿入カートリッジ」の一部をなすものであり，「環状フランジ１８は，中間ホルダ６に所定の長さにわたって嵌め合わされている」ことからみて，「挿入カートリッジ」と「中間ホルダ」は互いに所定の長さにわたって嵌め合わされているものと言える。
　
　刊行物１記載の発明において，「前置フィルタ１５・・・の係止突起１６は，中間ホルダ６の流入側の内周面に形成された環状溝に係合し」ていること，「挿入カートリッジ５は，中間ホルダ６内に，流入側から保持段部７まで挿入可能」こと，「挿入カートリッジ５の噴流調整器１２」であることからみて，刊行物１記載の発明の「噴流調整器１２は，環状フランジ１８によって，保持段部７と前置フィルタ１５との間で保持されており，環状フランジ１８は，保持段部７に当接しつつ，中間ホルダ６に流体流過方向で所定の長さにわたって嵌め合わされている」と本願発明の「該水流分割部分は前記ケーシング（５）に結合されるようになっており」は，水流分割部分はケーシングに保持されるようになっている点で共通している。
　
　刊行物１記載の発明において，「噴流調整器１２は，環状フランジ１８によって，保持段部７と前置フィルタ１５との間で保持されて」いること，「挿入カートリッジ５は，中間ホルダ６内に，流入側から保持段部７まで挿入可能」こと，「挿入カートリッジ５の噴流調整器１２」であることからみて，刊行物１記載の発明の「雄ねじ山８の流入側，かつ，内周側には保持段部７と係止突起１６を有する部分を有しており，」「噴流調整器１２は，環状フランジ１８によって，保持段部７と前置フィルタ１５との間で保持されており，環状フランジ１８は，保持段部７に当接しつつ，中間ホルダ６に流体流過方向で所定の長さにわたって嵌め合わされている」と本願発明の「水流分割部分（７）若しくはケーシング（５）の外周若しくは内周に環状段部（４０）を設けてあり，該環状段部はケーシング（５）若しくは水流分割部分（７）の端面領域（４１）に当接するようになっており」は，ケーシングの内周に環状段部を設け，該環状段部はケーシングに当接している点で共通している。
　
　したがって，両者は以下の点で一致している。
「衛生設備用の構成ユニットであって，該構成ユニットは挿入カートリッジとして衛生設備用の出口栓の流体案内路内に挿入されるようになっていて，ケーシング及び水流調整器を備えており，ケーシングは外周に雄ねじを有しており，該雄ねじは出口栓の雌ねじ内にねじ込まれるようになっている形式のものにおいて，ケーシングの長さは，該ケーシングに雄ねじと該雄ねじの下流側に直接に隣接するリングシールとが配置できるように規定されており，前記ケーシングは前記雄ねじの上流側に直接に続く縁部を有しており，水流分割部分は前記ケーシングに保持されるようになっており，水流分割部分とケーシングとは，流体流過方向で所定の長さにわたって互いに嵌め合わされており，ケーシングの内周に環状段部を設けてあり，該環状段部は水流分割部分に当接するようになっており，ケーシングにおいて，リングシール及び該リングシールと隣接する雄ねじの上流側にケーシング縁部を接続してある，衛生設備用の構成ユニット。」
　
　そして，以下に示す点で相違している。
＜相違点＞　
（相違点１）　
　水流分割部分とケーシングについて，
　本願発明は，ケーシングの上流側に水流分割部分を配置し，水流分割部分はケーシングに相互に結合されているのに対して，
　刊行物１記載の発明は，「挿入カートリッジ」を「中間ホルダ」の上流側に配置しておらず，さらに両者を相互に結合してもいない点。
　
（相違点２）　
　本願発明は，「環状段部はケーシング若しくは水流分割部分の端面領域に当接」しているのに対して，
　刊行物１記載の発明は，「保持段部７」と「挿入カートリッジ」の当接は，「挿入カートリッジ」の「環状フランジ１８」で行われているのであって，「挿入カートリッジ」の端面領域で行われてはいない点。
　
５　判断　
（相違点１について）　
　刊行物２記載の「孔付きプレート」，「噴流調整器ケーシング」，「噴流調整器」，「流出水栓」は，それぞれ本願発明の「水流分割部分」，「ケーシング」，「構成ユニット」，「出口栓」に相当する。　
　
　そして，刊行物２には，衛生設備の流出水栓に組み込まれる噴流調整器において，「孔付きプレート」を「噴流調整器ケーシング」の上流側に配置し，「孔付きプレート」の外周と「噴流調整器ケーシング」の内周にそれぞれ環状段部を設け，該環状段部で「孔付きプレート」と「噴流調整器ケーシング」とが当接するように配置し，「孔付きプレート」と「噴流調整器ケーシング」を解除可能に係止する点が記載されている。
　
　ここで，刊行物１に記載の発明と，刊行物２に記載の噴流調整器は，いずれも衛生設備の出口栓に組みこまれる構成ユニットに関する発明で，水中分割部分とケーシングとを備えたものである点で共通しており，水中分割部分とケーシングの配置構造をどのような構造とするかは当業者が適宜決定することであることから，刊行物１記載の発明の水中分割部分とケーシングの配置構造として，刊行物２に記載の構造を採用して，相違点１に係る発明特定事項とすることは当業者が容易に想到し得たことである。
　
（相違点２について）
　刊行物３記載の発明の「噴流調整器」，「ケーシング」，「噴流分割プレート」，「衛生排出装置」は，それぞれ本願発明の「構成ユニット」，「ケーシング」，「水流分割部分」，「出口栓」に相当する。　
　
　そして，刊行物３には，衛生設備の衛生排出装置に組み込まれる噴流調整器において，「ケーシング」とその上流に配置した「噴流分割プレート」を解離可能に固定する際に，「噴流分割プレート」の外周に環状段部を設け，該環状段部を「ケーシング」の端面領域に当接させる係止構造が記載されている。
　
　さらに，刊行物１の記載事項（１ｃ），図４からみて，刊行物１にも上述の刊行物３に記載されている事項と同様の点が記載されている。
　
　これらのことからみて，衛生設備の出口栓に組み込まれる構成ユニットにおいて，ケーシングと水流分割部分を固定する際に，水流分割部分の外周に環状段部を設け，該環状段部をケーシングの端面領域に当接させることは当該技術分野に於いて周知の技術である。
　
　刊行物１に記載の発明と，刊行物３や１に例示される周知の技術の構成ユニットは，いずれも衛生設備の出口栓に組みこまれる構成ユニットに関する発明で，水中分割部分とケーシングとを備えたものである点で共通していることから，刊行物１記載の発明の水中分割部分とケーシングの配置構造として，刊行物２に記載の構造を採用して，相違点１に係る発明特定事項とする際に，当該周知の技術を考慮して，水流分割部分の環状段部をケーシングの端面領域に当接させて，相違点２に係る発明特定事項とすることは当業者が適宜行う設計的事項である。
　
　そして，本願発明の作用効果は，刊行物１記載の発明，刊行物２，３の記載事項，及び，周知の技術から予測できる程度のものである。
　
　したがって，本願発明は，刊行物１記載の発明，刊行物２，３の記載事項，及び，周知の技術に基づいて当業者が容易に発明をすることができたものであり，特許法第２９条第２項の規定により特許を受けることができない。
　
６　むすび　
　以上のとおり，本願発明は特許を受けることができないものであることから，本願の他の請求項について検討するまでもなく，本願は拒絶されるべきものである。
　
　よって，結論のとおり審決する。